(57)【特許請求の範囲】
【請求項１】
上側のポケット口１から下側の取出口２側に伸びる通路３の下端に、前記取出口２の直上に位置する受底部４を備え、この受底部４より上側において、前記通路３の側方に開口する別の取出口５を形成し、この取出口５と前記取出口２とを取出通路６で連通させたことを特徴とする上衣。
【請求項２】
上側のポケット口１が胸ポケットＡであり、下側の取出口２が脇ポケットＢに通じていることを特徴とする請求項１記載の上衣。
【発明の詳細な説明】
【０００１】
【発明の属する技術分野】
本発明は、携帯電話、眼鏡その他の小物を上側のポケット口から入れて下側の取出口から取り出すことができるようにした上衣に関する。
【０００２】
【従来の技術】
携帯電話、眼鏡その他の小物を携行するに当っては、通常、上衣の胸ポケットや脇ポケット、あるいは、内ポケットに入れて持ち歩いている。また、近年の携帯電話の普及に合わせて、上衣の表側や内側に携帯電話を入れるための専用ポケットを設けたものも販売されている。
【０００３】
【発明が解決しようとする課題】
携帯電話、眼鏡その他の小物を上衣の胸ポケットや脇ポケット、あるいは、内ポケットに入れた場合には、ポケットが膨らんで体裁が悪く、特に、胸ポケットの場合、通常の深さでは入れた物がちょうど胸の上に当り、胸を圧迫する不快感がある。また、脇ポケットや内ポケットに入れた場合には、入れた物が中で斜めになったり、横向くなどみだりに動くことが多い。さらに、内ポケットは通常財布等の深さに合わせてあるから、手を深く差し入れないと取り出しにくく、出し入れが以外に煩わしい。特に、携帯電話のようにかかってくる度ごとにポケットに手を突っ込んで取り出し、通話後においては再びポケットにしまわなければならないものでは、出し入れが煩わしく、その回数も相当多くなる。
【０００４】
そこで、上側のポケット口からすっと入れて下側の取出口から簡単に取り出すことができれば、出し入れの煩わしさもなくなり、また、上側のポケット口から投入した物を下側の取出口より上側に、好ましくは、取出口の直上に、とどめておくことができれば、ポケットが膨らむこともなく、また、嵩張ることもないので、非常に有利である。
【０００５】
本発明者はこのような要望に応えることができる上衣を開発し、既に特許出願している（特願２００２−０１１５８９号、出願日：平成１４年１月２１日）。
この先願発明は、上側のポケット口から下側の取出口に通じる通路を設けるとともに、少なくとも前記取出口より上側に、好ましくは、取出口の直上に、この通路を開閉させ得る手段を配置したものである。
【０００６】
同一発明者、同一出願人に係るこの先願発明でも、所期の目的を充分達成することができる。しかしながら、上側のポケット口から投入したものを確実に受け止めておくことができ、また、下側の取出口に通じる通路を開閉させ得る手段を全く必要としない、さらに便利で、かつ、コスト面でも極めて有利なものを開発し得ないかについて鋭意工夫を凝らした結果、本発明を完成するに至った。
【０００７】
【課題を解決するための手段】
すなわち、本発明は、上側のポケット口１から下側の取出口２側に伸びる通路３の下端に、前記取出口２の直上に位置する受底部４を備え、この受底部４より上側において、前記通路３の側方に開口する別の取出口５を形成し、この取出口５と前記取出口２とを取出通路６で連通させたことを特徴とするものである。
【０００８】
上側のポケット口１から投入物Ｔを投入すると、それが通路３内を滑り落ち、その下端に位置する受底部４で確実に受け止められる。したがって、上側のポケット口１から投入した投入物Ｔを紛失することがなく、また、ポケットが膨らむことも少なく、嵩張ることも少ない。この受底部４は、上衣を着用する人の身体の比較的出っ張らないところに位置させることができ、それによってポケットの膨らみと嵩張りとをできるだけ無くすことができる。特に、ポケット口から投入した物を受け止める手段を極めて簡単なものとすることができるから、コスト面でも極めて有利である。
【０００９】
一方、下側の取出口２から手指を突っ込んで受底部４を押し上げると、その中に受け止められている投入物Ｔを通路３の側方に開口する取出口５から簡単に取り出すことができ、この取出口５と下側の取出口２とを連通させている取出通路６を経て下側の取出口２からそれを簡単に取り出すことができる。
すなわち、本発明では、上側のポケット口１からすっと入れて下側の取出口２から簡単に取り出すことができるので、出し入れの煩わしさを解消することができる。
【００１０】
上側のポケット口１が胸ポケットＡであり、下側の取出口２が脇ポケットＢに通じたものとするのが、最も好ましい。このようにした場合には、上衣の外側であって、しかも、上側に位置する胸ポケットＡから投入物Ｔをすっと投入することができるので、きわめて入れやすく、また、同じく上衣の外側から脇ポケットＢに手を突っ込んで下側の取出口２に手指を伸ばすことができるので、上衣を着用したままで、上衣のボタンを外すことなく、きわめて簡単に投入物Ｔを取り出すことができる。
【００１１】
【発明の実施の形態】
本発明の好ましい実施の形態を、図面に基いて詳細に説明する。
図１には、上側のポケット口１が胸ポケットＡであり、下側の取出口２が脇ポケットＢに通じている上衣であって、上側のポケット口１である胸ポケットＡから下側の取出口２に通じる通路３を設けた場合の一例を示す。
また、図２には、上側のポケット口１が内ポケットＣであり、下側の取出口２が脇ポケットＢに通じている上衣であって、上側のポケット口１である内ポケットＣから下側の取出口２に通じる通路３を設けた場合の一例を示す。
さらに、図３には、上側のポケット口１が胸ポケットＡであり、下側の取出口２が脇ポケットＢに通じている上衣であって、上側のポケット口１である胸ポケットＡから内ポケットＣを経由して下側の取出口２に通じる通路３を設けた場合の一例を示す。
【００１２】
通路３は筒状の生地で形成することができ、その下端に受底部４を備えたものとする。図１に示す上衣の場合には、図４に示すように、底のある筒状の生地3aの上端縁を胸ポケットＡのポケット袋ａの底の一部を開口させた開口部に縫い付けてあり、この底の部分を受底部４としてある。そして、この受底部４の上側において、内側（図４の左側）の生地3aの一部を切断してその部分に別の取出口５を形成してある。
【００１３】
一方、この取出口５の側方（図４の左側）には取出通路６が形成されている。図４には、取出口５を覆い隠す生地6aが配置され、その上端を通路３を形成する筒状の生地3aの内側（図４の左側）の生地に、また、その下端を脇ポケットＢのポケット袋ｂの内側（図４の左側）の生地の上端部に縫い付けた場合が例示されている。そして、表側の筒状の生地3a（図４の右側の生地）には、別の生地2aが縫い付けてあり、その下端は脇ポケットＢの玉縁Ｆにおいてそのポケット袋ｂの上端縁の一部を開口させて下側の取出口２とした開口部に縫い付けてある。
このようにすることで、取出口５と下側の取出口２とを取出通路６で連通させることができる。
【００１４】
図２に示す上衣の場合には、図５に示すように、底のある筒状の生地3bの上端縁を内ポケットＣのポケット袋ｃの底の一部を開口させた開口部に縫い付けてあり、この底の部分を受底部４としてある。そして、この受底部４の上側において、内側（図５の左側）の生地3bの一部を切断してその部分に別の取出口５を形成してある。
【００１５】
一方、この取出口５の側方（図５の左側）には取出通路６が形成されている。図５には、取出口５を覆い隠す生地6aが配置され、その上端を内ポケットＣのポケット袋ｃの内側（図５の左側）の生地に、また、その下端を脇ポケットＢのポケット袋ｂの内側（図５の左側）の生地の上端部に縫い付けた場合が例示されている。そして、内ポケットＣのポケット袋ｃの表側の生地（図５の右側の生地）には、別の生地2aが縫い付けてあり、その下端は脇ポケットＢの玉縁Ｆにおいてそのポケット袋ｂの上端縁の一部を開口させて下側の取出口２とした開口部に縫い付けてある。
このようにすることで、取出口５と下側の取出口２とを取出通路６で連通させることができる。
【００１６】
なお、図２に示す場合には、上前Ｄ側の内ポケットＣと上前Ｄ側の通路３と上前Ｄ側の取出通路６と上前Ｄ側の取出口２とが連通しているが、これを下前Ｅ側においても実施することができる。この場合には、下前Ｅ側の内ポケットＣと下前Ｅ側の通路３と下前Ｅ側の取出通路６と下前Ｅ側の取出口２とが連通することになる。
【００１７】
また、図３に示す上衣の場合には、図６に示すように、筒状の生地3cの上端縁を胸ポケットＡのポケット袋ａの底の一部を開口させた開口部に、また、筒状の生地3cの下端縁を内ポケットＣのポケット袋ｃの側部を開口させた開口部に縫い付けてあり、さらに、底のある別の筒状の生地3dの上端縁を内ポケットＣのポケット袋ｃの底の一部を開口させた開口部に縫い付けてあり、この底の部分を受底部４としてある。そして、この受底部４の上側において、内側（図６の左側）の生地3dの一部を切断してその部分に別の取出口５を形成してある。
【００１８】
一方、この取出口５の側方（図６の左側）には取出通路６が形成されている。図６には、取出口５を覆い隠す生地6aが配置され、その上端を内ポケットＣのポケット袋ｃの内側（図６の左側）の生地に、また、その下端を脇ポケットＢのポケット袋ｂの内側（図６の左側）の生地の上端部に縫い付けた場合が例示されている。そして、内ポケットＣのポケット袋ｃの外側（図６の右側）の生地には、別の生地2aが縫い付けてあり、その下端は脇ポケットＢの玉縁Ｆにおいてそのポケット袋ｂの上端縁の一部を開口させて下側の取出口２とした開口部に縫い付けてある。
このようにすることで、取出口５と下側の取出口２とを取出通路６で連通させることができる。
【００１９】
通路３と取出口５と取出通路６の大きさは、胸ポケットＡから投入した投入物Ｔを通過させることができる一方、通過中その中で斜めになったり、横向くなどみだりに動くことがない程度の幅と奥行きとすることが望ましい。伸縮性に優れ、さらに、滑りやすい生地、例えば、ナイロンやポリエステル製の生地を用いて通路３や取出通路６を形成すると、投入物Ｔが滑り落ちやすいので、より有利である。
【００２０】
上側のポケット口１から投入物Ｔを投入すると、それが通路３内を滑り落ち、図７において拡大して示すように、その下端に備えられている受底部４で確実に受け止められる。したがって、上側のポケット口１から投入した投入物Ｔを紛失するおそれがなく、また、ポケットが膨らむことも少なく、嵩張ることも少ない。
一方、下側の取出口２から手指を突っ込んで受底部４を押し上げると、その中に受け止められている投入物Ｔを通路３の側方に開口する取出口５から簡単に取り出すことができ、この取出口５と下側の取出口２とを連通させている取出通路６を経て下側の取出口２からそれを簡単に取り出すことができる。
このように、上側のポケット口１からすっと入れて下側の取出口２から簡単に取り出すことができるので、出し入れの煩わしさを解消することができる。
【００２１】
上記の場合において、前記取出口５の部分では、図７に拡大して示すように、取出口５の上端縁5aが下端縁5bよりも上方にくるようにしておけば、受底部４で投入物Ｔが受け止められている場合でも取出口５が開くのを防止でき、受底部４で投入物Ｔをより確実に受け止めることができる。
取出口５の位置及びその上端縁5aと下端縁5bの位置関係は種々考えられ、また、受底部４の袋の材質及び形態も種々考えられるが、要するに、受底部４で投入物Ｔを受け止め、取出口５から取出通路６を経て下側の取出口２から投入物Ｔを取り出し得るようにするのが、本発明の基本思想である。
なお、図４〜図８において、図面符号７は表地、８は毛芯である。また、図４〜図６及び図８において、図面符号９は裏地である。
【００２２】
図１、図４に例示されている場合には、上側のポケット口１である胸ポケットＡから投入物Ｔを投入する。すると、それが通路３内を滑り落ち、その下端に備えられている受底部４で確実に受け止められる。
一方、下側の取出口２から手指を突っ込んで受底部４を押し上げると、その中に受け止められている投入物Ｔを通路３の側方に開口する取出口５から簡単に取り出すことができ、この取出口５と下側の取出口２とを連通させている取出通路６を経て下側の取出口２からそれを簡単に取り出すことができる。
この場合においては、上から入れるのも下から取り出すのも全て上衣の外側（表側）から行うことができるので、きわめて便利である。
【００２３】
図２、図５に例示されている場合には、上側のポケット口１である内ポケットＣから投入物Ｔを投入する。すると、投入物Ｔは内ポケットＣのポケット袋ｃの底に形成されている開口部を経てその直下に位置する受底部４で確実に受け止められる。
一方、下側の取出口２から手指を突っ込んで受底部４を押し上げると、その中に受け止められている投入物Ｔを通路３の側方に開口する取出口５から簡単に取り出すことができ、この取出口５と下側の取出口２とを連通させている取出通路６を経て下側の取出口２からそれを簡単に取り出すことができる。
【００２４】
図３、図６に例示されている場合には、上側のポケット口１である胸ポケットＡから投入物Ｔを投入する。すると、投入物Ｔは胸ポケットＡのポケット袋ａの底の一部を開口させた開口部から、内ポケットＣのポケット袋ｃの側部を開口させた開口部を経て内ポケットＣのポケット袋ｃに達し、その底に形成されている開口部を経てその直下に位置する受底部４で確実に受け止められる。
一方、下側の取出口２から手指を突っ込んで受底部４を押し上げると、その中に受け止められている投入物Ｔを通路３の側方に開口する取出口５から簡単に取り出すことができ、この取出口５と下側の取出口２とを連通させている取出通路６を経て下側の取出口２からそれを簡単に取り出すことができる。
【００２５】
このように、ここに例示した場合にあっては、いずれの場合でも、上側のポケット口１（胸ポケットの場合と内ポケットの場合とがある）から投入物Ｔを投入するだけで、それを上衣内で下側の取出口２側に導くことができ、その途中の受底部４で投入物Ｔを一旦受け止め、しかる後、脇ポケットＢに手を突っ込んで受底部４を押し上げると、その中に受け止められている投入物Ｔを通路３の側方に開口する取出口５から簡単に取り出すことができ、この取出口５と下側の取出口２とを連通させている取出通路６を経て下側の取出口２からそれを簡単に取り出すことができる。
【００２６】
なお、上述したように、胸ポケットＡのポケット袋ａの底の一部を直接開口させた場合には、通常の胸ポケットとして利用しにくいが、図８(a) に示すように、通常の胸ポケットＡが残るように工夫すれば、胸ポケットとして何らの支障もないので有利である。また、図８(b) に示すように、胸ポケットＡにチーフ入れa'を形成しておけば、少なくともチーフを差し込むことができるので、これまた有利である。
【００２７】
【発明の効果】
請求項１記載の発明によれば、上側のポケット口から入れて下側の取出口から簡単に取り出すことができるので、出し入れの煩わしさもなくなり、また、上側のポケット口から投入した物を確実に受け止めておくことができるので、紛失のおそれがなく、また、ポケットが膨らむこともなく、嵩張ることもないなどの利点を有する。特に、ポケット口から投入した物を受け止める手段を極めて簡単なものとすることができるから、コスト面でも極めて有利である。
【００２８】
請求項２記載の発明によれば、上衣の外側であって、しかも、上側に位置する胸ポケットから投入物を投入することができるので、きわめて入れやすく、また、同じく上衣の外側から脇ポケットに手を突っ込んで下側の取出口に手指を伸ばすことができるので、上衣を着用したままで、上衣のボタンを外すことなく、きわめて簡単に投入物を取り出すことができるという利点を有する。
【図面の簡単な説明】
【図１】本発明の一例を示す正面図で、上側のポケット口が胸ポケットであり、下側の取出口が脇ポケットに通じている上衣であって、上側のポケット口である胸ポケットと受底部と取出口と取出通路と下側の取出口とをそれぞれ連通させた場合を示す。
【図２】本発明の別の例を示す正面図で、上側のポケット口が内ポケットであり、下側の取出口が脇ポケットに通じている上衣であって、上側のポケット口である内ポケットと受底部と取出口と取出通路と下側の取出口とをそれぞれ連通させた場合を示す。
【図３】本発明のさらに別の例を示す正面図で、上側のポケット口が胸ポケットであり、下側の取出口が脇ポケットに通じている上衣であって、上側のポケット口である外ポケットと内ポケットと受底部と取出口と取出通路と下側の取出口とをそれぞれ連通させた場合を示す。
【図４】図１に示す上衣の要部の拡大断面図である。
【図５】図２に示す上衣の要部の拡大断面図である。
【図６】図３に示す上衣の要部の拡大断面図である。
【図７】本発明の基本思想を示す拡大断面図である。
【図８】胸ポケット部分を改良した別の例を示す拡大断面図である。
【符号の説明】
１…ポケット口、２…取出口、３…通路、４…受底部、５…取出口、６…取出通路、Ａ…胸ポケット、Ｂ…脇ポケット、Ｃ…内ポケット、ａ，ｂ，ｃ…ポケット袋、Ｔ…投入物。
【図１】
0003589655.tif 000002
【図２】
0003589655.tif 000003
【図３】
0003589655.tif 000004
【図４】
0003589655.tif 000005
【図５】
0003589655.tif 000006
【図６】
0003589655.tif 000007
【図７】
0003589655.tif 000008
【図８】
0003589655.tif 000009